(57)【要約】【課題】 穿刺針を穿刺時のみに突出させるとともに 一度使用した穿刺針を再利用できない構成の穿刺針カートリッジを提供することを目的とする。【解決手段】  穿刺器具に装着する穿刺針カートリッジにおいて、穿刺針を有するランセット本体２０２と、ホルダー２０１とを備え、さらに、ランセット本体２０２はアーム３０１を有し、ホルダー２０１は内部にアーム３０１と協働する被係止手段４０１を有する。そして、穿刺後、ランセット本体２０２のアーム３０１がホルダー２０１内の被係止手段４０１を構成する第１の側壁４０２及び第２の側壁４０３に当接することで、ランセット本体２０２が、穿刺前及び穿刺時の位置に戻らないようにした。【選択図】図５（ｄ）
2005342325.tif 000002
【特許請求の範囲】
【請求項１】
穿刺針を有するランセット本体および前記穿刺針を保護する穿刺針保護キャップを有するランセットと、開口部を有し前記ランセットを収納するホルダーとを備える穿刺針カートリッジにおいて、
前記ランセットはアーム手段をさらに有し、
前記ホルダーは、その内部に前記アーム手段と協働する被係止手段をさらに有し、前記ランセット本体を、前記穿刺針カートリッジの穿刺器具本体への取り付け時の第１の位置から、穿刺を行う第２の位置へ、そして穿刺後の第３の位置へと、その軸心方向に沿って移動可能なように収納する筒状のホルダーであり、
前記穿刺針カートリッジを穿刺器具本体に装着後、前記ランセット本体を射出して前記ホルダーの開口部から前記穿刺針を突出させるとき、前記アーム手段が弾性的に変形して前記ランセット本体が前記第１の位置から前記第２の位置に移動し、
穿刺後、前記アーム手段と前記被係止手段とが協働して、前記ランセット本体を、第１の位置には戻らず、かつ、前記穿刺針が前記ホルダーの開口部から突出しないように第３の位置で保持することを特徴とする穿刺針カートリッジ。
【請求項２】
請求項１に記載の穿刺針カートリッジにおいて、
前記アーム手段は、一端が前記ランセット本体の先端側と接続し、他端がランセット本体の後端側に向かってテーパ状に広がって開放し、
前記被係止手段は、前記ホルダーの内径を拡大して形成した凹状の拡大内径部であり、
前記ランセット本体が第１の位置にあるときには、前記アームの開放端は前記拡大内径部よりも前記穿刺針カートリッジの後端側に位置し、一旦、前記ランセット本体が前記第１の位置から前記第２の位置を経て、前記第３の位置に移動すれば、前記アームの開放端が前記拡大内径部に広がって前記拡大内径部を構成する軸心方向に垂直な第１の側壁に当接して、前記ランセット本体の前記第１の位置への移動を規制することを特徴とする穿刺針カートリッジ。
【請求項３】
請求項２に記載の穿刺針カートリッジにおいて、
前記ランセット本体が前記第１の位置から前記第２の位置を経て、前記第３の位置に移動したとき、前記拡大内径部を構成する側壁のうち、前記第１の側壁よりも前記穿刺針カートリッジの先端側にある第２の側壁に、前記アームが当接することにより、前記穿刺針が前記ホルダーの開口部から突出しないように規制することを特徴とする穿刺針カートリッジ。
【請求項４】
請求項３に記載の穿刺針カートリッジにおいて、
前記拡大内径部を形成する代わりに、前記第１の側壁に換えて第１の凸部を、前記第２の側壁に換えて第２の凸部を、前記ホルダーの内面に軸心方向に垂直に突出するようにそれぞれ形成し、前記第１の凸部に前記アーム手段の開放端が当接することで、前記ランセット本体が前記第１の位置へ移動することを規制し、前記第２の凸部に前記アーム手段が当接することで、前記ランセットの穿刺針が前記ホルダーの開口部から突出しないように規制することを特徴とする穿刺針カートリッジ。
【請求項５】
請求項１に記載の穿刺針カートリッジにおいて、
前記ランセット及び前記ホルダー内部の、いずれか一方には軸心方向に溝を有し、他方には前記溝と係合する凸部を軸心方向に有し、前記溝と前記凸部とが係合しながら前記ランセット本体が前記ホルダー内部を移動することを特徴とする穿刺針カートリッジ。
【発明の詳細な説明】
【技術分野】
【０００１】
本発明は、採血などに用いる穿刺器具の交換用の穿刺針カートリッジに関するものである。
【背景技術】
【０００２】
従来、微量の血液を採取することが可能な穿刺器具が提案されている。従来、穿刺器具として穿刺針のみを交換するものがあったが、これは、直接皮膚に触れるキャップの部分が使い回しになり衛生上の問題があった。また、穿刺針を穿刺器具に取り付けるときや、穿刺針を廃棄するときに穿刺針を誤って手などに刺してしまう危険があった。さらに、患者によっては穿刺針に恐怖心を感じる人もいた。
【０００３】
上述の問題点を受け、穿刺針を囲むホルダーを有し、穿刺器具本体に着脱可能な穿刺針カートリッジが提案されている（例えば特許文献１参照）。以下、従来の穿刺針カートリッジについて図７を用いて説明する。
【０００４】
図７に示すように、穿刺針カートリッジ６００は、ホルダー６０１と、穿刺針６０３を有するランセット本体６０２と、穿刺針６０３を保護する穿刺針保護キャップ６０４とからなる。ホルダー６０１はランセット本体６０２を収納する。なお、ランセット本体６０２はホルダー６０１内部を軸心方向に移動可能なように収納されている。また、ランセット本体６０２に大径部６０５を設けることで、所定の力が加わらないとランセット本体６０２がホルダー６０１の開口部側、すなわち、先端方向に移動しないようにする。
【０００５】
以上のように構成される穿刺針カートリッジが、穿刺器具本体（図示せず）に取り付けられて、穿刺部位に対して穿刺が行われる。穿刺の際には、ランセット本体６０２が穿刺器具本体のプランジャーに嵌入され、このプランジャーを付勢手段で移動させることで、先端方向にランセット本体６０２が射出され、ホルダー６０１の開口部から穿刺針６０３が穿出する。穿刺後、穿刺針６０３が穿刺部位から抜かれると、ランセット本体６０２が穿刺器具本体の付勢手段によって先端方向と逆方向（後端方向）に移動し、穿刺針６０３が再びホルダー６０１内に収納される。
【０００６】
以上のように、図７に示す穿刺針カートリッジ６００を用いれば、穿刺時のみ穿刺針が突出するため患者に恐怖心を与えることがない。また、穿刺針カートリッジごと交換が可能であるため、穿刺針を安全に交換でき、かつ、直接皮膚に触れる部分まで廃棄できることから、衛生上の問題も解決できる。
【特許文献１】特開２０００−２４５７１７号公報
【発明の開示】
【発明が解決しようとする課題】
【０００７】
上述のように、図７に示す従来の穿刺針カートリッジを用いれば、安全な穿刺針の交換が可能であるが、図７の穿刺針カートリッジは、一度使用した穿刺針６０３を再利用できる構造である。すなわち、一度使用した穿刺針６０３がホルダー６０１に収納された後、再び穿刺針６０３がホルダー６０１から穿刺不可能な構造でないため、ランセット本体６０２を先端方向に射出させれば何度でも穿刺針６０３をホルダー６０１の開口部から突出させることができる。このため、一度使用した穿刺針６０３を交換せず、再利用してしまい感染問題等を引き起こしてしまう可能性があった。
【０００８】
また、図７に示す穿刺針カートリッジ６００では、穿刺器具本体に装着時に、穿刺針保護キャップを装着していないと穿刺針が突出することがある。さらに、ランセット本体６０２に大径部６０５を設けて所定の力が加わらないとランセット本体６０２が移動できないようにしているが、一度穿刺動作を行うと、大径部６０５による係止力が弱まり、穿刺針カートリッジを下に向けるなどすると、穿刺針６０３がホルダー６０１の開口部から突出することがある。
【０００９】
よって、本発明では、穿刺針を穿刺時のみに突出させるとともに、一度使用した穿刺針を再利用できない構成の穿刺針カートリッジを提供することを目的とする。
【課題を解決するための手段】
【００１０】
本発明の請求項１に係る穿刺針カートリッジは、穿刺針を有するランセット本体および前記穿刺針を保護する穿刺針保護キャップを有するランセットと、開口部を有し前記ランセットを収納するホルダーとを備える穿刺針カートリッジにおいて、前記ランセットはアーム手段をさらに有し、前記ホルダーは、その内部に前記アーム手段と協働する被係止手段をさらに有し、前記ランセット本体を、前記穿刺針カートリッジの穿刺器具本体への取り付け時の第１の位置から、穿刺を行う第２の位置へ、そして穿刺後の第３の位置へと、その軸心方向に沿って移動可能なように収納する筒状のホルダーであり、前記穿刺針カートリッジを穿刺器具本体に装着後、前記ランセット本体を射出して前記ホルダーの開口部から前記穿刺針を突出させるとき、前記アーム手段が弾性的に変形して前記ランセット本体が前記第１の位置から前記第２の位置に移動し、穿刺後、前記アーム手段と前記被係止手段とが協働して、前記ランセット本体を、第１の位置には戻らず、かつ、前記穿刺針が前記ホルダーの開口部から突出しないように第３の位置で保持することを特徴とする。
【００１１】
本発明の請求項２に係る穿刺針カートリッジは、請求項１に記載の穿刺針カートリッジにおいて、前記アーム手段は、一端が前記ランセット本体の先端側と接続し、他端がランセット本体の後端側に向かってテーパ状に広がって開放し、前記被係止手段は、前記ホルダーの内径を拡大して形成した凹状の拡大内径部であり、前記ランセット本体が第１の位置にあるときには、前記アームの開放端は前記拡大内径部よりも前記穿刺針カートリッジの後端側に位置し、一旦、前記ランセット本体が前記第１の位置から前記第２の位置を経て、前記第３の位置に移動すれば、前記アームの開放端が前記拡大内径部に広がって前記拡大内径部を構成する軸心方向に垂直な第１の側壁に当接して、前記ランセット本体の前記第１の位置への移動を規制することを特徴とする。
【００１２】
本発明の請求項３に係る穿刺針カートリッジは、請求項２に記載の穿刺針カートリッジにおいて、前記ランセット本体が前記第１の位置から前記第２の位置を経て、前記第３の位置に移動したとき、前記拡大内径部を構成する側壁のうち、前記第１の側壁よりも前記穿刺針カートリッジの先端側にある第２の側壁に、前記アームが当接することにより、前記穿刺針が前記ホルダーの開口部から突出しないように規制することを特徴とする。
【００１３】
本発明の請求項４に係る穿刺針カートリッジは、請求項３に記載の穿刺針カートリッジにおいて、前記拡大内径部を形成する代わりに、前記第１の側壁に換えて第１の凸部を、前記第２の側壁に換えて第２の凸部を、前記ホルダーの内面に軸心方向に垂直に突出するようにそれぞれ形成し、前記第１の凸部に前記アーム手段の開放端が当接することで、前記ランセット本体が前記第１の位置へ移動することを規制し、前記第２の凸部に前記アーム手段が当接することで、前記ランセットの穿刺針が前記ホルダーの開口部から突出しないように規制することを特徴とする。
【００１４】
本発明の請求項５に係る穿刺針カートリッジは、請求項１に記載の穿刺針カートリッジにおいて、前記ランセット及び前記ホルダー内部の、いずれか一方には軸心方向に溝を有し、他方には前記溝と係合する凸部を軸心方向に有し、前記溝と前記凸部とが係合しながら前記ランセット本体が前記ホルダー内部を移動することを特徴とする。
【発明の効果】
【００１５】
穿刺針を有するランセット本体および前記穿刺針を保護する穿刺針保護キャップを有するランセットと、開口部を有し前記ランセットを収納するホルダーとを備える穿刺針カートリッジにおいて、前記ランセットはアーム手段をさらに有し、前記ホルダーは、その内部に前記アーム手段と協働する被係止手段をさらに有し、前記ランセット本体を、前記穿刺針カートリッジの穿刺器具本体への取り付け時の第１の位置から、穿刺を行う第２の位置へ、そして穿刺後の第３の位置へと、その軸心方向に沿って移動可能なように収納する筒状のホルダーであり、前記穿刺針カートリッジを穿刺器具本体に装着後、前記ランセット本体を射出して前記ホルダーの開口部から前記穿刺針を突出させるとき、前記アーム手段が弾性的に変形して前記ランセット本体が前記第１の位置から前記第２の位置に移動し、穿刺後、前記アーム手段と前記被係止手段とが協働して、前記ランセット本体を、第１の位置には戻らず、かつ、前記穿刺針が前記ホルダーの開口部から突出しないように第３の位置で保持するようにした。
【００１６】
これにより、穿刺後、前記ランセット本体の前記第１の位置への移動を規制できるため、前記穿刺針の再使用を防止することができる効果がある。さらに、前記ランセットの穿刺針が前記ホルダーの開口部から突出しないように規制することができるため、安全性を高める効果がある。
【発明を実施するための最良の形態】
【００１７】
以下、本発明の実施の形態を、図面を参照しながら説明する。
（実施の形態１）
以下、本発明の実施の形態１に係る穿刺針カートリッジについて図１〜図６を用いて説明する。
【００１８】
図１は、本実施の形態１に係る穿刺針カートリッジを装着して穿刺を行う穿刺器具の内部構成図である。図１に示すように、本実施の形態１に係る穿刺針カートリッジ１０６は穿刺器具１００に装着される。穿刺器具１００は、ハウジング１０１の内部で長手方向に移動するプランジャー１０２を有し、さらに、穿刺用の穿刺ボタン１０３と、穿刺深さを調節するための穿刺深さ調節リング１０４、穿刺に必要な付勢力を蓄えるためのチャージスプリング１０５とを有している。なお、穿刺針カートリッジ１０６を装着した穿刺器具１００において、穿刺針を突出させる方向を先端方向とし、先端方向の逆方向を後端方向とする。
【００１９】
次に、図２を用いて、本実施の形態１に係る穿刺針カートリッジ１０６の詳細な構成について説明する。
図２は、本実施の形態１に係る穿刺針カートリッジ１０６の内部構成図である。図２において、穿刺針カートリッジ１０６は、ホルダー２０１と、ランセット本体２０２と、穿刺針保護キャップ２０３とを有する。穿刺針保護キャップ２０３はランセット本体２０２の穿刺針を覆う。ホルダー２０１は、内部にランセット本体２０２を収納している。なお、ランセット本体２０２はその軸心方向にホルダー２０１内を移動可能なように収納されている。
【００２０】
次に、図３を用いてランセットの詳細な構造について説明する。図３はランセットの構成図である。図３において、ランセット３００は、穿刺針３０２を有するランセット本体２０２と穿刺針３０２を保護する穿刺針保護キャップ２０３とを有している。さらに、ランセット本体２０２はアーム３０１を有する。また、軸心方向（長手方向）にランセット溝３０３を有している。アーム３０１は、一端がランセット２０２本体に接続され、他端がランセット本体２０２の後端側にテーパ状に広がって開放している。
【００２１】
次に、図４を用いてランセット３００を収納するホルダー２０１の内部構造について説明する。図４はホルダー２０１の断面図である。図４に示すように、ホルダー２０１は、内部に内径が拡大した拡大内径部である被係止手段４０１を有する。この拡大内径部は軸心方向に垂直な第１の側壁４０２及び第２の側壁４０３から構成される。さらに、ホルダー２０１は内部にランセット本体２０２のランセット溝３０３と係合しランセット本体２０２を直進運動させるためのホルダー凸部４０４を軸心方向に有している。
【００２２】
なお、図４において、ホルダー２０１は内部に拡大内径部を有しているが、拡大内径部を有する代わりに、第１の側壁４０２に換えて第１の凸部を、第２の側壁４０３に換えて第２の凸部を、軸心方向に垂直に突出させるように形成しても良い。
【００２３】
また、図３、４では、ランセット本体２０２が溝を有し、ホルダー２０１が内部に凸部を有する構成を示したが、ランセット本体２０２に凸部を、ホルダー２０１内に溝をそれぞれ軸心方向に有するようにし、前記溝と前記凸部を係合させて、ランセット本体２０２を直進運動させるようにしても良い。
【００２４】
以上のよう構成される穿刺針カートリッジによる穿刺動作について図５（ａ）〜図５（ｄ）、図６を用いて説明する。
【００２５】
図５（ａ）は、穿刺前の穿刺針カートリッジおよび穿刺器具の内部構成図である。図５（ｂ）は、穿刺針保護キャップをはずした穿刺待機状態の穿刺針カートリッジおよび穿刺器具の内部構成図である。図５（ｃ）は、穿刺時の穿刺針カートリッジおよび穿刺器具の内部構成図である。図５（ｄ）は、穿刺後の穿刺針カートリッジおよび穿刺器具の内部構成図である。図６は、穿刺前の穿刺針カートリッジおよび穿刺器具の断面図である。
【００２６】
図５（ａ）および図５（ｂ）に示すように、穿刺前と穿刺待機状態とでは、穿刺針カートリッジ１０６のランセット本体２０２とホルダー２０１との位置関係は同じであり、アーム３０１が被係止手段４０１よりも後端方向に位置している。以上の位置関係で穿刺針カートリッジ１０６は穿刺器具１００に装着されており、装着時には、図６に示すように、ハウジング１０１がホルダー２０１の後端部を、さらにプランジャー１０２がランセット本体２０２の後端部を把持している。
【００２７】
図５（ｃ）に示すように、穿刺時の穿刺針カートリッジ１０６は、チャージスプリング１０５の付勢力によりプランジャー１０２がランセット本体２０２を射出すると、ホルダー２０１内部の形状に沿ってアーム３０１が弾性変形し、ランセット本体２０２が先端方向に移動する。このとき、アーム３０１は被係止手段４０１よりも先端方向に位置することになる。これにより、ホルダー２０１の開口部から穿刺針３０２が突出して穿刺部位を刺通する。この穿刺の際には、ランセット溝３０３とホルダー凸部４０４とが係合するため、ランセット本体２０２はその軸心方向に直進運動が可能になる。
【００２８】
図５（ｄ）に示すように、穿刺後の穿刺針カートリッジは、チャージスプリング１０５が元の状態に戻ることで、ランセット本体２０２が後端方向に移動し、アーム３０１の開放端が凹状の被係止手段４０１に広がって被係止手段４０１の第１の側壁４０２に当接する。これにより、ランセット本体２０２が、穿刺針カートリッジ１０６の穿刺器具１００への装着時の位置に、すなわち、穿刺前の位置に戻ることを規制できる。さらに、アーム３０１は被係止手段４０１の第２の側壁４０３にも当接する。これより、ランセット本体２０２が穿刺時の位置に移動して、ホルダー２０１の開口部からの穿刺針３０２が突出をするのを規制する。
【００２９】
以上のように、本実施の形態１に係る穿刺針カートリッジは、穿刺針を有するランセット本体２０２と、ホルダー２０１とを備え、さらに、ランセット本体２０２はアーム３０１を有し、ホルダー２０１は内部にアーム３０１と協働する被係止手段４０１を有するようにした。そして、穿刺後、ランセット本体２０２のアーム３０１がホルダー２０１内の被係止手段４０１を構成する第１の側壁４０２及び第２の側壁４０３に当接するようにして、ランセット本体２０２が、穿刺前及び穿刺時の位置に戻らないようにした。これにより、穿刺時にのみ穿刺針を突出させて安全性を高めることができるとともに、一度用いた穿刺針を再利用することを防止することができる。
【産業上の利用可能性】
【００３０】
本発明に係る穿刺針カートリッジは、採血などに用いる穿刺器具の交換用の穿刺針を収納し、かつ、穿刺針と同時に交換可能な穿刺針カートリッジとして有用である。
【図面の簡単な説明】
【００３１】
【図１】本実施の形態１に係る穿刺針カートリッジを装着して穿刺を行う穿刺器具の内部構成図である。
【図２】本実施の形態１に係る穿刺針カートリッジの内部構成図である。
【図３】本実施の形態１に係る穿刺針カートリッジのランセットの構成図である。
【図４】本発明の実施の形態１に係る穿刺針カートリッジのホルダーの断面図である。
【図５（ａ）】本発明の実施の形態１に係る穿刺針カートリッジを装着した穿刺器具の穿刺前の内部構成図である。
【図５（ｂ）】本発明の実施の形態１に係る穿刺針カートリッジを装着した穿刺器具の穿刺待機状態の内部構成図である。
【図５（ｃ）】本発明の実施の形態１に係る穿刺針カートリッジを装着した穿刺器具の穿刺時の内部構成図である。
【図５（ｄ）】本発明の実施の形態１に係る穿刺針カートリッジを装着した穿刺器具の穿刺後の内部構成図である。
【図６】本発明の実施の形態１に係る穿刺針カートリッジを装着した穿刺器具の穿刺前の断面図である。
【図７】従来の穿刺針カートリッジの断面図である。
【符号の説明】
【００３２】
１００  穿刺器具
１０１  ハウジング
１０２  プランジャー
１０３  穿刺ボタン
１０４  穿刺深さ調節リング
１０５  チャージスプリング
１０６  穿刺針カートリッジ
１０７  摺動規制部
１０８  第１の引きバネ固定片
１０９  第２の引きバネ固定片
２０１  ホルダー
２０２  ランセット本体
２０３  穿刺針保護キャップ
３００  ランセット
３０１  アーム
３０２  穿刺針
３０３  ランセット溝
４０１  被係止手段
４０２  被係止手段の第１の側壁
４０３  被係止手段の第２の側壁
４０４  ホルダー凸部
６００  穿刺針カートリッジ
６０１  ホルダー
６０２  ランセット本体
６０３  穿刺針
６０４  穿刺針保護キャップ
６０５  大径部
【図１】
2005342325.tif 000003
【図２】
2005342325.tif 000004
【図３】
2005342325.tif 000005
【図４】
2005342325.tif 000006
【図５（ａ）】
2005342325.tif 000007
【図５（ｂ）】
2005342325.tif 000008
【図５（ｃ）】
2005342325.tif 000009
【図５（ｄ）】
2005342325.tif 000010
【図６】
2005342325.tif 000011
【図７】
2005342325.tif 000012